(57)【要約】【課題】携帯端末装置の機能により、ユーザに対して省電力モードの設定操作を促すことが可能な携帯端末装置を提供する。【解決手段】携帯端末装置は、省電力モードで作動可能な１つ以上の機能実行手段１１と、特定のイベントが発生すると、機能実行手段１１の省電力モードで作動させるための設定を受け付ける設定受付手段１３と、設定受付手段１３が受け付けた設定に基づいて、機能実行手段１１を省電力モードで作動させる省電力制御手段１５とを備える。【選択図】図１
2011120042.tif 000002
【特許請求の範囲】
【請求項１】
省電力モードで作動可能な１つ以上の機能実行手段と、
特定のイベントが発生すると、前記省電力モードで作動可能な機能実行手段の設定を受け付ける設定受付手段と、
前記設定受付手段が受け付けた設定に基づいて、前記機能実行手段を省電力モードで作動させる省電力制御手段と、を備える携帯端末装置。
【請求項２】
複数の前記機能実行手段のうち、任意の期間内又は所定の期間内に省電力モードで作動した機能実行手段を検出する検出手段と、
前記任意の期間内又は所定の期間内で、前記機能実行手段が省電力モードで作動した累積動作時間を各機能手段毎に算出する算出手段とを更に備え、該算出手段が算出した累積動作時間を表示装置上に表示する、請求項１に記載の携帯端末装置。
【請求項３】
前記設定受付手段は、前記算出手段が算出した累積動作時間の前記表示装置上への表示を前記特定のイベントとして、前記表示手段上に表示された機能実行手段毎に前記設定を受け付ける、請求項２に記載の携帯端末装置。
【請求項４】
前記算出手段が算出した累積動作時間と、前記設定を受け付ける画面とを、同時に又は連続して前記表示装置上に表示する、請求項２又は３に記載の携帯端末装置。
【請求項５】
前記任意の期間及び複数の機能実行手段のうち少なくとも１つを指定する入力を入力手段から受け付ける、請求項２〜４の何れか１項に記載の携帯端末装置。
【請求項６】
前記特定のイベントが、定期的又は間欠的に発生する、請求項１又は２に記載の携帯端末装置。
【請求項７】
省電力モードで作動可能な１つ以上の機能実行手段を有する携帯端末装置における制御方法であって、
コンピュータが、特定のイベントが発生すると前記省電力モードで作動可能な機能実行手段の設定を受け付けるステップと、
コンピュータが、前記受け付けた設定に基づいて、前記機能実行手段を省電力モードで作動させるステップと、を有する制御方法。
【請求項８】
省電力モードで作動可能な１つ以上の機能実行手段を有する携帯端末装置のためのプログラムであって、コンピュータに、
特定のイベントが発生すると前記省電力モードで作動可能な機能実行手段の設定を受け付ける処理と、
前記受け付けた設定に基づいて、前記機能実行手段を省電力モードで作動させる処理と、を実行させるプログラム。
【発明の詳細な説明】
【技術分野】
【０００１】
本発明は、携帯端末装置、その制御方法及びプログラムに関し、更に詳しくは、特定の機能について省電力モードでの作動における設定が容易な携帯端末装置、その制御方法及びプログラムに関する。
【背景技術】
【０００２】
携帯電話機を始めとする携帯端末装置では、デバイスの微細化が進む一方、表示部の大型化、及び、多機能化などにより、消費電流が増大する傾向にある。消費電流の増大により、携帯端末装置におけるバッテリの持ち時間が短くなり、電話機能など直ちにその機能の使用が必要なときに、当該機能が使用できないという問題があった。このため、携帯端末装置の特定の機能については、その機能の作動を制限することで消費電流を低減する、いわゆる省電力設定が可能な機種が増えている。
【０００３】
特許文献１には、携帯電話機の機能について、通信を行う第１の機能と、通信以外の第２の機能のそれぞれに、予めバッテリ容量を割り当てる発明が記載されている。この携帯電話機では、双方の機能に割り当てたバッテリ容量のそれぞれにしきい値を設定し、そのしきい値以上のバッテリ容量の使用を個別に制限することで、バッテリ容量の機能毎の使用を最適化するとしている。
【先行技術文献】
【特許文献】
【０００４】
【特許文献１】特開２００５−３２３１７９号公報
【発明の概要】
【発明が解決しようとする課題】
【０００５】
特許文献１に記載の技術においては、他の機能を利用した後で通信機能を利用する際に、バッテリ容量が不足する事態が防止できる。しかし、携帯端末装置の多機能化が進んだ結果、設定項目が増えたことにより、何れの機能にそのようなしきい値を設定すれば有効であるかが、一般のユーザには把握し難い。また、それぞれの機能がどのように使用されるかを把握しない限り、そのしきい値設定により有効な効果が得られるかは不明である。
【０００６】
出願人は、先願発明（特願２００９−２１５８１６号）において、省電力設定が可能な機能が実際に使用されていた時間長を任意の時間内で自動的に算出し、ユーザに機能毎の累積動作時間を提示する携帯端末装置を提案している。ユーザは、その提示された累積時間に基づいて、表示された機能を省電力設定で作動させる設定について、その設定を自ら変更可能である。この発明では、省電力設定により得られる効果がユーザに容易に把握できるという利点が得られる。
【０００７】
しかし、上記先願発明では、ユーザは、省電力設定が可能な機能の動作時間を認識後に、例えば所定のメニューから省電力設定が可能な機能を呼び出して、その省電力動作における設定変更を実施する必要がある。このため、ユーザは、省電力設定の変更操作を煩わしいと感じるおそれがあった。
【０００８】
本発明は、上記に鑑み、ユーザが自ら省電力モードの設定を意識しなくても、携帯端末装置自身の機能により、ユーザに対して省電力モードの設定操作を促すことで、省電力設定を容易に実施可能な携帯端末装置を提供することを目的とする。
【課題を解決するための手段】
【０００９】
上記目的を達成するために、本発明は、省電力モードで作動可能な１つ以上の機能実行手段と、特定のイベントが発生すると、前記省電力モードで作動可能な機能実行手段の設定を受け付ける設定受付手段と、前記設定受付手段が受け付けた設定に基づいて、前記機能実行手段を省電力モードで作動させる省電力制御手段と、を備える携帯端末装置を提供する。
【００１０】
また、本発明は、省電力モードで作動可能な１つ以上の機能実行手段を有する携帯端末装置における制御方法であって、コンピュータが、特定のイベントが発生すると前記省電力モードで作動可能な機能実行手段の設定を受け付けるステップと、コンピュータが、前記受け付けた設定に基づいて、前記機能実行手段を省電力モードで作動させるステップと、を有する制御方法を提供する。
【００１１】
更に、本発明は、省電力モードで作動可能な１つ以上の機能実行手段を有する携帯端末装置のためのプログラムであって、コンピュータに、特定のイベントが発生すると前記省電力モードで作動可能な機能実行手段の設定を受け付ける処理と、前記受け付けた設定に基づいて、前記機能実行手段を省電力モードで作動させる処理と、を実行させるプログラムを提供する。
【発明の効果】
【００１２】
本発明の携帯端末装置、その制御方法及びプログラムでは、ユーザが自ら省電力モードの設定を意識しなくても、携帯端末装置自身の機能により、ユーザに対して省電力モードの設定操作を促すことが出来る。このため、省電力モードの設定操作をユーザが煩わしいと感じるおそれが低減する。
【図面の簡単な説明】
【００１３】
【図１】本発明の携帯端末装置の構成例を示すブロック図。
【図２】本発明の一実施形態に係る携帯端末装置のブロック図。
【図３】図２の携帯端末装置の処理の一部を示すフローチャート。
【図４】図３のフローチャートの処理に続く処理を示すフローチャート。
【図５】表示装置上で表示される機能毎の動作時間の算出例を示す図。
【図６】表示装置上でユーザに促される、省電力モードの設定変更を例示する図。
【発明を実施するための形態】
【００１４】
本発明の実施形態を説明する前に、本発明の概要を説明する。図１は、本発明の携帯端末装置の構成例を示す。携帯端末装置１０は、省電力モードで作動可能な１つ以上の機能実行手段１１と、特定のイベント発生を受けて、前記省電力モードで作動可能な機能実行手段１１を省電力モードで作動させる際の設定を受け付ける設定受付手段１３と、設定受付手段１３が入力手段１４から受け付けた設定に基づいて、機能実行手段１１を省電力モードで作動させる省電力制御手段１５とを備える。
【００１５】
携帯端末装置１０では、特定のイベントが発生すると前記省電力モードで作動可能な機能実行手段の設定を受け付けるステップと、前記受け付けた設定に基づいて、前記機能実行手段を省電力モードで作動させるステップと、を有する制御方法を実施する。
【００１６】
携帯端末装置１０は、コンピュータに、特定のイベントが発生すると前記省電力モードで作動可能な機能実行手段１１の設定を受け付ける処理と、前記受け付けた設定に基づいて、前記機能実行手段１１を省電力モードで作動させる処理と、を実行させるプログラムによって作動する。
【００１７】
図１の携帯端末装置では、特定のイベント発生があると、設定受付手段１３が、機能実行手段１１の省電力モードの設定を、例えば表示装置１２上でユーザに促す。省電力制御手段１５は、設定受付手段１３がユーザから入力手段１４を介して設定入力を受け付けると、機能実行手段１１の省電力モードでの作動における設定を変更する。従って、ユーザは、画面上で促された処理を実行することで、省電力モードでの作動における設定操作が可能になり、ユーザにおける設定操作の煩わしさが軽減される。
【００１８】
以下、図面を参照し、本発明の実施形態について詳細に説明する。図２は、本発明の一実施形態に係る携帯端末装置を構成する携帯電話機を示すブロック図である。携帯電話機１００は、無線ブロック１１０、ベースバンドブロック１１１、通話手段１１２、記憶部１１３、入力手段１１４、電源回路１１５、ＬＣＤ１１６、カメラ１１７、照明部１１８、ＴＶ受信部１１９、及び、制御装置１２０を有する。
【００１９】
無線ブロック１１０は、アンテナ及び図示しない無線通信回線を介して外部と通信を実行する。ベースバンドブロック１１１は、無線ブロック１１０との間で受け渡される送受信信号の変調及び復調を行う。通話手段１１２は、増幅器、マイクロフォン、スピーカなどを含み、ユーザによる通信に利用される。入力手段１１４は、テンキーなどのキーボードを含み、ユーザからの入力を受け付ける。電源回路１１５は、バッテリ１３０を含み、携帯電話機１００の各部に電源を供給する。記憶部１１３は、携帯電話機１００のプログラムやデータを格納する。ＬＣＤ１１６は、メールや、カメラ１１７の画像、ＴＶ受信部１１９からの画像などの各種表示を行う。照明部１１８は、キーボードなどの照明や、警報表示など各種表示のために利用される。
【００２０】
制御装置１２０は、通信制御部１２１、省電力制御部１２２、動作時間算出部１２３、設定受付部１２４、及び、その他制御部１２５を含む。制御装置１２０は、ＣＰＵによって構成され、上記各部は、プログラムによって構成される。
【００２１】
通信制御部１２１は、無線ブロック１１０、ベースバンドブロック１１１、通話手段１１２の制御を行う。省電力制御部１２２は、ＬＣＤ１１６のバックライトや、照明部１１８、通話手段１１２における着信音の制御など、省電力モードで作動可能な各部を省電力モードで作動させる制御を行う。動作時間算出部１２３は、省電力モードで作動可能な各部が所定期間内で作動する累積動作時間を算出する。設定受付部１２４は、省電力モードで作動可能な各部を省電力モードに設定するための画面表示を行う。
【００２２】
動作時間算出部１２３は、ある任意の期間Ｎの間、省電力モードの設定が可能な機能、例えば、機能Ａ、機能Ｂ、及び、機能Ｃが作動しているか否かを監視し、作動している場合には、その動作時間をカウントする。機能Ａ、機能Ｂ、及び、機能Ｃとしてはそれぞれ、例えば、通話手段１１２における着信音作動部、照明部１１８、及び、ＬＣＤ１１６が挙げられる。任意の期間は、外部から与えてもよく、或いは、携帯電話機１００内で自動的に選定してもよい。例えば、所定期間を与えておいて、制御部がＣＰＵ負荷を勘案してその増減を判断してもよい。期間Ｎ、機能Ａ、機能Ｂ、及び、機能Ｃの内容は、予め記憶部１１３に記憶されており、動作時間算出部１２３は、記憶部１１３からその読出しが可能である。
【００２３】
動作時間算出部１２３は、動作時間の算出をスタートさせてから、所定期間Ｎが経過したと判断すると、算出した機能Ａ、機能Ｂ、機能Ｃの動作時間をＬＣＤ１１６に表示する。設定受付部１２４は、動作時間算出部１２３により機能Ａ、機能Ｂ、機能Ｃの動作時間がＬＣＤ１１６上に表示されたときに、これをイベント発生と検知して、作動する。設定受付部１２４は、表示されている機能Ａ、Ｂ、Ｃの何れかがユーザによって選択されると、その選択された機能の省電力設定画面をＬＣＤ１１６上に表示させ、ユーザから省電力設定の変更を受け付ける処理を実行する。
【００２４】
制御装置１２０は、他に、例えばスケジュール管理機能、電卓機能、アラーム（目覚まし）機能などを作動させることが出来る。また、ＴＶ受信部１１９を介してＴＶ放送を受信し、或いは、カメラ１１７を作動させ、静止画や動画の撮影等のアプリケーションを動作させることが可能である。省電力制御部１２２は、これらの省電力設定にも関与することが出来る。
【００２５】
記憶部１１３は、ある任意の期間Ｎ、携帯電話機１００の省電力設定が可能な機能Ａ、Ｂ、Ｃの登録や、音楽データ、ＴＶ放送データ、カメラ１１７から取り込んだ画像データなどを格納することができ、それらのデータは、外部機器を使用することにより、携帯電話機１００の外部に取り出すことも可能である。
【００２６】
次に、本実施形態における省電力設定が可能な機能Ａ、Ｂ、Ｃの動作時間算出と省電力設定の処理について詳細に説明する。図３は、上記実施形態の携帯電話機１００の処理を示すフローチャートの一部であり、図４は図３の処理に続く処理を示すフローチャートである。
【００２７】
図３の待受状態（ステップＳ１）において、動作時間算出部１２３は、省電力設定が可能な機能における動作時間の算出開始か否かを判断する（ステップＳ２）。この判断は、例えば携帯電話機１００のＣＰＵの負荷の大きさにより判断し、ＣＰＵ負荷が所定よりも小さいときに算出開始と判断する。動作時間算出部１２３は、ステップＳ２の判断において、機能動作時間の算出開始ではないと判断すると、そのまま待機する。ステップＳ２で、算出開始と判断した場合には、動作時間算出部１２３は、記憶部１１３に記憶されている任意の期間Ｎと省電力設定が可能な機能Ａ、Ｂ、Ｃの読込みを行う（ステップＳ３）。次いで、動作時間算出部１２３は、機能Ａ、Ｂ、Ｃが動作するか否かを監視する（ステップＳ４）。
【００２８】
動作時間算出部１２３は、機能Ａが動作したか否か判断し（ステップＳ５）、機能Ａが動作したと判断すると、機能Ａの動作時間をカウントし、記憶する（ステップＳ６）。次いで、動作時間算出部１２３は、所定期間Ｎが経過したか否かを判断し（ステップＳ７）、期間Ｎが経過していると判断すると、機能Ａ、Ｂ、Ｃの動作時間を合計する（ステップＳ８）。動作時間算出部１２３は、各機能の動作時間をＬＣＤ１１６に表示し（ステップＳ９）、設定受付部１２４を起動する。設定受付部１２４は、ユーザによる機能の選択があるか否かを監視する（図４、ステップＳ１５）。
【００２９】
図４において、設定受付部１２４は、機能Ａが選択されたか否かを判断する（ステップＳ１５）。設定受付部１２４は、ユーザにより機能Ａが選択され、機能Ａの省電力モードの設定がなされると（ステップＳ１９）、機能Ａをその設定に従って、省電力設定モードで作動させるように省電力制御部１２２に指示する。省電力制御部１２２は、機能Ａの省電力モードにおける設定を変更し（ステップＳ２０）、以降の作動では、機能Ａを設定された省電力モードで作動させる。設定受付部１２４は、ユーザが別機能の省電力設定を実施するか否かを監視し（ステップＳ２６）、別機能の省電力設定を実施しないと判断すると、待受状態へ移行する（ステップＳ２７）。
【００３０】
動作時間算出部１２３は、図３のステップＳ５の判断において、機能Ａが動作していないと判断すると、機能Ｂが動作したか否かを判断し（ステップＳ１０）、機能Ｂが動作したと判断すると、機能Ｂの動作時間をカウントし、記憶する（ステップＳ１３）。動作時間算出部１２３は、次いで、ステップＳ７に進み、前述と同様な処理を行う。動作時間算出部１２３は、ステップＳ１０の判断において、機能Ｂが動作していないと判断すると、機能Ｃが動作したか否かを判断し（ステップＳ１１）、機能Ｃが動作したと判断すると、機能Ｃの動作時間をカウントし、記憶する（ステップＳ１４）。動作時間算出部１２３は、次いで、ステップＳ７に進み、前述と同様な処理を行う。
【００３１】
動作時間算出部１２３は、ステップＳ１１の判断において、機能Ｃが動作していないと判断すると、所定期間Ｎが経過したか否かを判断し（ステップＳ１２）、所定期間Ｎが経過したと判断すると、ステップＳ８に進み、前述と同様な動作を行う。動作時間算出部１２３は、ステップＳ１２の判断において、所定期間Ｎが経過していないと判断すると、ステップＳ４に戻り、前述と同様な動作を行う。また、動作時間算出部１２３は、ステップＳ７の判断において、所定期間Ｎが経過していないと判断すると、ステップＳ４に戻り、前述と同様な動作を行う。
【００３２】
設定受付部１２４は、図４のステップＳ１５の判断において、機能Ａが選択されていないと判断すると、機能Ｂが選択されたか否かを判断する（ステップＳ１６）。設定受付部１２４は、機能Ｂが選択され、その省電力設定モードの設定を受け付けると（ステップＳ２１）、その設定を省電力制御部１２２に指示する。省電力制御部１２２は、機能Ｂの以降の作動をその設定に従って省電力モードで作動させる（ステップＳ２２）。設定受付部１２４は、次いで、ステップＳ２６に進み、別機能の省電力設定があるか否かを判断する。
【００３３】
設定受付部１２４は、ステップＳ１６の判断において、機能Ｂが選択されていないと判断すると、機能Ｃが選択されたか否かを判断する（ステップＳ１７）。設定受付部１２４は、機能Ｃが選択され、その設定がなされると（ステップＳ２３）、その設定を省電力制御部１２２に指示する。省電力設定部１２２は、その設定に従って、機能Ｃを省電力モードで作動させる（ステップＳ２４）。設定受付部１２４は、次いで、ステップＳ２６に進み、前述と同様な動作を行う。
【００３４】
設定受付部１２４は、ステップＳ１７の判断において、機能Ｃが選択されていないと判断すると、省電力設定なしと選択されたか否かを判断し（ステップＳ１８）、省電力設定なしが選択されたと判断すると、携帯電話機を待受状態に移行させる（ステップＳ２５）。設定受付部１２４は、ステップＳ１８の判断において、省電力設定なしが選択されてないと判断すると、ステップＳ１５に戻り、前述と同様な動作を行う。
【００３５】
設定受付部１２４は、ステップＳ２６の判断において、別機能の省電力設定を実施すると判断すると、ステップＳ１５に戻り、前述と同様な動作を行う。
【００３６】
図５は、各機能の動作時間が算出された後に、動作時間算出部１２３がＬＣＤ１１６に表示する画面の例を示す。この表示では、省電力モードで作動可能な機能毎に、所定期間内の動作時間の累計値が示される。グレー網掛け部は、設定受付部１２４によって表示され、キー操作によって機能Ａ→機能Ｂ→機能Ｃ→省電力設定なしの順にスクロールされ、決定キーの押下によって選択される機能を示している。なお、これら動作時間の表示に加えて、何れかの機能を選択するように促す文章、例えば「省電力モードに設定する機能を選択してください」などを表示してもよい。
【００３７】
図６は、設定受付部１２４が、図５の表示において機能Ａが選択されたときに表示する画面の例を示す。機能Ａは、例えば通話手段１１２における着信音発生機能であり、複数のレベルによる省電力モードの作動が可能である。図５の画面で機能Ａの省電力設定が選択されると、図６に示すように、機能Ａが作動可能なレベルであるレベル１〜レベル５が画面上に表示される。ユーザがスクロールによって何れかのレベルを選択し、決定キーを押下することによって、所望のレベルが選択される。ついで、ユーザが別機能の省電力設定を選択すると、例えば図５の画面に戻り、別の機能Ｂ又はＣについて、前述の処理が繰り返される。なお、図６の画面は、図５の画面と同時に、或いはこれに続けて表示してもよい。
【００３８】
上記実施形態では、携帯電話機１００は、省電力設定が可能な機能が動作している時間長を自動で算出し、算出の結果を表示部に表示し、ユーザに告知する。また、その告知と同時に、ユーザに対して省電力モードの設定が可能なことを知らせ、ユーザからの設定を受け付ける。このため、ユーザは容易に省電力モードの設定ができ、携帯電話機１００の消費電流の低減が可能になる。消費電流の低減により、バッテリ１３０の持ち時間を有効に延ばすことができる。
【００３９】
また、上記実施形態では、任意の期間が終了して、機能毎の動作時間の計算が完了し、その動作時間が表示装置上に表示されるときをイベント発生の例として挙げたが、この例には限らない。例えば、ユーザに設定を促す表示を定期的に行ってもよく、その場合には、ユーザによる選択を容易にするために、それ以前に集計した動作時間を同時に表示することが好ましい。更に、上記実施形態では、動作時間の表示画面と省電力設定の表示画面とを別にした例を挙げたが、同じ画面上で動作時間の表示と設定ボタンとを表示してもよい。また、省電力のレベルは、通常レベル（最高レベル）の他に１以上あればよく、設定できるレベルの数は任意に選択可能である。
【００４０】
更に、上記実施形態では、ある所定期間又は任意の期間Ｎと、省電力設定が可能な機能Ａ、Ｂ、Ｃは、記憶部１１３に予め記憶されている構成を採用した。しかし、ユーザが、期間Ｎ、機能Ａ、機能Ｂ、及び、機能Ｃのうち少なくとも１つを設定可能である構成も採用可能である。更に、上記実施形態では、省電力設定が可能な機能は、機能Ａ、機能Ｂ、機能Ｃの３つである例を示したが、設定可能な機能の種類及び数は、任意に選択可能である。
【００４１】
省電力設定が可能な機能としては、例えば、着信音量、バイブレータ動作、通話中又は着信時のイルミネーション表示、ＬＣＤのバックライト、キーボタンの照明、キーボタンの確認音などが例示される。
【００４２】
本発明を特別に示し且つ例示的な実施形態を参照して説明したが、本発明は、その実施形態及びその変形に限定されるものではない。当業者に明らかなように、本発明は、添付の特許請求の範囲に規定される本発明の精神及び範囲を逸脱することなく、種々の変更が可能である。
【符号の説明】
【００４３】
１０：携帯端末装置
１１：機能実行手段
１２：表示装置
１３：設定受付手段
１４：入力手段
１５：省電力制御手段
１００：携帯電話機
１１０：無線ブロック
１１１：ベースバンドブロック
１１２：通話手段
１１３：記憶部
１１４：入力手段
１１５：電源回路
１１６：ＬＣＤ
１１７：カメラ
１１８：照明部
１１９：ＴＶ受信部
１２０：制御装置
１２１：通信制御部
１２２：省電力制御部
１２３：動作時間算出部
１２４：設定受付部
１２５：その他制御部
１３０：バッテリ
【図１】
2011120042.tif 000003
【図２】
2011120042.tif 000004
【図３】
2011120042.tif 000005
【図４】
2011120042.tif 000006
【図５】
2011120042.tif 000007
【図６】
2011120042.tif 000008